(57)【要約】      （修正有）【課題】電子装置に接続すると、ユーザーが電子装置からの音と自分が音声制御システムの外部で発する声を同時に聴くことができる携帯用音声制御システムを提供する。【解決手段】電子装置が発するオーディオ信号を制御する携帯用音声制御システムであって、イヤホン装置と、音声制御装置とを備える。音声制御装置は、オーディオ受信ユニットと、音声合成モジュールと、音声信号出力ユニットとを含む。オーディオ受信ユニットは電子装置に接続され、電子装置が発するオーディオ信号を受信し、音声合成モジュールは、オーディオ信号、及び音声制御装置の外部からのボイス信号を同時に受信して、前記オーディオ信号及びボイス信号を合成音声信号に合成し、音声信号出力ユニットは前記合成音声信号をイヤホン装置へ出力する。【選択図】図１
0003155879.tif 000002
【実用新案登録請求の範囲】
【請求項１】
電子装置からのオーディオ信号を制御するとともに音声をイヤホン装置へ出力するように制御する音声制御装置であって、
前記オーディオ信号を受信するオーディオ受信ユニットと、
前記音声制御装置の外部からのボイス信号及び前記オーディオ受信ユニットが受信したオーディオ信号を受信して、前記オーディオ信号及び前記ボイス信号を合成させて、合成音声信号を生成する音声合成モジュールと、
前記合成音声信号を前記イヤホン装置へ出力する音声信号出力ユニットと、
を備える音声制御装置。
【請求項２】
さらに、
前記ボイス信号を取り入れるマイクロホン集音ユニットと、
前記マイクロホン集音ユニットと前記音声合成モジュールに電気的に接続され、前記マイクロホン集音ユニットが受信した前記ボイス信号を増幅するマイクロホンアンプと、
を備える請求項１に記載の音声制御装置。
【請求項３】
さらに、
前記音声合成モジュールと、前記マイクロホン集音ユニットと、前記マイクロホンアンプとを収容するためのハウジングと、
前記ハウジングの表面と前記マイクロホン集音ユニットに配置され、前記ボイス信号を取り入れるための集音孔と、
を備える請求項２に記載の音声制御装置。
【請求項４】
さらに、
外付けマイクロホンに電気的に接続され、前記外付けマイクロホンが取り入れた前記ボイス信号を受信するためのマイクロホン受信ユニットと、
前記マイクロホン受信ユニットと前記音声合成モジュールに電気的に接続され、前記マイクロホン受信ユニットが受信した前記ボイス信号を増幅するためのマイクロホンアンプと、
を備える請求項１に記載の音声制御装置。
【請求項５】
さらに、前記音声合成モジュールと前記マイクロホンアンプとを収容するためのハウジングを備える請求項４に記載の音声制御装置。
【請求項６】
さらに、
前記ボイス信号を取り入れるマイクロホン集音ユニットと、
外付けマイクロホンに電気的に接続され、前記外付けマイクロホンが取り入れた前記ボイス信号を受信するマイクロホン受信ユニットと、
前記マイクロホン集音ユニットと前記マイクロホン受信ユニットに電気的に接続され、前記マイクロホン集音ユニットと前記マイクロホン受信ユニットのいずれか１つに前記ボイス信号を取り入れさせるように切替を行う切替器と、
前記切替器と前記音声合成モジュールに電気的に接続され、前記ボイス信号を増幅するマイクロホンアンプと、
を備える請求項１に記載の音声制御装置。
【請求項７】
さらに、
前記音声合成モジュールと、前記マイクロホン集音ユニットと、前記切替器と、前記マイクロホンアンプとを収容するためのハウジングと、
前記ハウジングの表面と前記マイクロホン集音ユニットに配置され、前記ボイス信号を取り入れるための集音孔と、
を備える請求項６に記載の音声制御装置。
【請求項８】
前記オーディオ受信ユニットは音声信号ポートであって、前記電子装置における対応した音声信号ポートに電気的に接続される請求項１に記載の音声制御装置。
【請求項９】
前記オーディオ受信ユニットは、無線通信によりオーディオ信号を受信するための無線通信ユニットである請求項１に記載の音声制御装置。
【請求項１０】
前記音声信号出力ユニットは音声信号ポートであって、前記イヤホン装置における対応した音声信号ポートに電気的に接続される請求項１に記載の音声制御装置。
【請求項１１】
前記音声信号出力ユニットは、無線通信により前記合成音声信号を出力するための無線通信ユニットである請求項１に記載の音声制御装置。
【請求項１２】
電子装置からのオーディオ信号を制御するための携帯用音声制御システムであって、
イヤホン装置と音声制御装置とを備え、
前記音声制御装置は、
選択的に前記電子装置にカップリングして、前記オーディオ信号を受信するオーディオ受信ユニットと、
ボイス信号、及び前記オーディオ受信ユニットが受信した前記オーディオ信号を受信して、前記オーディオ信号及び前記ボイス信号を合成させ、合成音声信号を生成する音声合成モジュールと、
前記合成音声信号を前記イヤホン装置へ出力する音声信号出力ユニットと、
を含む携帯用音声制御システム。
【請求項１３】
前記音声制御装置は、さらに、音声制御装置の外部からの前記ボイス信号を取り入れて、前記音声合成モジュールへ伝送するマイクロホン集音ユニットを含む請求項１２に記載の携帯用音声制御システム。
【請求項１４】
さらに、外付けマイクロホンを備え、前記外付けマイクロホンは、前記ボイス信号を取り入れて前記音声制御装置へ伝送するマイクロホン送信ユニットを含む請求項１２に記載の携帯用音声制御システム。
【請求項１５】
前記音声制御装置は、さらに、
選択的に前記マイクロホン送信ユニットとカップリングして、前記音声制御装置の外部からの前記ボイス信号を取り入れるマイクロホン受信ユニットを含み、
前記マイクロホン受信ユニットがマイクロホン送信ユニットに接続される場合、前記マイクロホン集音ユニットは前記外付けマイクロホンから前記ボイス信号を取り入れる、
請求項１４に記載の携帯用音声制御システム。
【請求項１６】
前記イヤホン装置は、さらに、
前記合成音声信号を出力するスピーカモジュールと、
選択的に前記音声信号出力ユニットとカップリングして、前記合成音声信号を前記スピーカモジュールへ伝送する音声信号入力ユニットと、
を含む請求項１２に記載の携帯用音声制御システム。
【請求項１７】
前記音声信号出力ユニットは音声信号ポートで、前記音声信号入力ユニットは、前記音声信号出力ユニットに対応した音声信号ポートである請求項１６に記載の携帯用音声制御システム。
【請求項１８】
前記音声信号出力ユニットと前記音声信号入力ユニットは無線通信ユニットであって、無線通信により、前記合成音声信号を出力または入力する請求項１６に記載の携帯用音声制御システム。
【請求項１９】
前記音声信号出力ユニットが音声信号入力ユニットに接続された場合、前記音声信号入力ユニットは、前記合成音声信号を前記音声信号入力ユニットへ伝送する請求項１６に記載の携帯用音声制御システム。
【請求項２０】
前記オーディオ受信ユニットと前記電子装置がカップリングする場合、前記オーディオ受信ユニットは前記オーディオ信号を受信する請求項１２に記載の携帯用音声制御システム。
【請求項２１】
前記オーディオ受信ユニットは音声信号ポートで、前記電子装置における対応した音声信号ポートと電気的に接続される請求項２０に記載の携帯用音声制御システム。
【請求項２２】
前記オーディオ受信ユニットは、無線通信により前記オーディオ信号を受信する無線通信ユニットである請求項２０に記載の携帯用音声制御システム。
【考案の詳細な説明】
【技術分野】
【０００１】
本考案は、携帯用音声制御システム及びその音声制御装置に関し、特に、異なる発生源からの複数の音声を制御する携帯用音声制御システム及びその音声制御装置に関するものである。
【背景技術】
【０００２】
以前からのＣＤプレーヤーを始め、最近流行しているミュージックケータイ（ミュージックモバイルや音楽携帯とも呼ばれる）、ＭＰ３やＭＰ４プレーヤーなど、多様な電子製品は音楽を再生する機能を搭載するようになってきた。イヤホンをこのような音楽再生装置に接続して音楽を聴くことに慣れていた人、特に歌うのが好きなユーザーにとって、このような音楽再生機能を搭載した装置は、いつでも音楽の曲に合わせて歌うことができる便利なツールになる。ところが、ユーザーが音楽再生装置を利用して歌の練習をする場合、イヤホンから音楽プレーヤーが再生している曲の音楽しか聴けなく、ユーザーが曲に合わせて歌う声は、空気を媒介にしてユーザーの耳へ伝えることになる。なお、イヤホンで外部の声や音の情報を遮断しているので、ユーザーは自分の歌う声が曲のリズムにそろっているか否かを把握することができないことがある。
【０００３】
もしバックグラウンドミュージックを聴きながら歌の練習をしようとする場合、コンピューター設備やプログラムソフトなどにより音声の入力設定や出力設定をする必要があり、コンピューター操作になれないユーザーにとっては優しい使い方ではない。なお、野外活動やアウトドア・アクティビティをする際に、または乗り物に乗るとき、コンピューターを持ち歩いて操作する訳にもいかないので、不便である。
【先行技術文献】
【特許文献】
【０００４】
【特許文献１】特開２００２−２２３２７６号
【考案の概要】
【考案が解決しようとする課題】
【０００５】
本考案は、このような事情に鑑みてなされたもので、その目的は、ユーザーが音楽を聴くと同時に、口から発した声も聞くことができ、娯楽性を高めるほか、歌の練習をする際の楽しみと効果を向上することができる携帯用音声制御システム及びその音声制御装置を提供することにある。
【課題を解決するための手段】
【０００６】
本考案にかかる１つの実施の形態によると、イヤホン装置と電子装置から発するオーディオ信号を制御することができる音声制御装置を提供する。音声制御装置は、オーディオ受信ユニットと、音声合成モジュールと、音声信号出力ユニットと、を備える。オーディオ受信ユニットは、電子装置からのオーディオ信号を受信する。音声合成モジュールは、前記オーディオ信号及び音声制御装置の外部からのボイス信号を受信して、前記オーディオ信号及び前記ボイス信号を合成させて合成音声信号を生成する。音声信号出力ユニットは、前記合成音声信号をイヤホン装置へ出力する。このような構成によると、イヤホン装置により、電子装置からのオーディオ信号を聴くと同時に、外部で発するボイス信号を聴くこともできる。
【０００７】
本考案にかかるもう１つの実施の形態によると、電子装置が発するオーディオ信号を制御する携帯用音声制御システムを提供する。携帯用音声制御システムは、イヤホン装置と音声制御装置を備える。音声制御装置は、さらにオーディオ受信ユニットと、音声合成モジュールと、音声信号出力ユニットとを含む。オーディオ受信ユニットは、電子装置と選択的にカップリングすることができ、カップリングする場合、オーディオ信号を受信することができる。音声合成モジュールは、音声制御装置の外部からボイス信号を、またオーディオ受信ユニットからオーディオ信号を受信して、前記オーディオ信号及びボイス信号を合成音声信号に合成する。音声信号出力ユニットは、前記合成音声信号をイヤホン装置へ出力する。このような構成によると、携帯用音声制御システムにより、電子装置からのオーディオ信号を聴くと同時に、外部で発するボイス信号を聴くこともできる。
【考案の効果】
【０００８】
本考案にかかる携帯用音声制御システム及びその音声制御装置によると、ユーザーが音声を再生するための電子装置を任意に接続することができる。イヤホン装置により電子装置が再生している音楽や音声を聴いている際に、異なる発生源からの音声を聴くことができる。例えば、音楽プレーヤーに接続してバックグラウンドミュージックと自分の歌う声を同時に聴くことができる。また、言語トレーニングのための電子装置に接続して、電子装置が再生している言語トレーニングの教材を聴くと同時に自分の発声をチェックすることができる。また、使用しない場合、携帯用音声制御システムの素子の相互の接続を切り離すだけで、収納するのに便利である。
【図面の簡単な説明】
【０００９】
【図１】図１は、本考案にかかる携帯用音声制御システムの第１実施例のブロック図である。
【図２】図２は、本考案の第１実施例の音声制御装置の回路図である。
【図３】図３は、本考案にかかる携帯用音声制御システムの第２実施例のブロック図である。
【図４】図４は、本考案にかかる携帯用音声制御システムの第３実施例のブロック図である。
【図５】図５は、本考案にかかる携帯用音声制御システムの第４実施例の概要図である。
【図６】図６は、本考案にかかる携帯用音声制御システムの第５実施例の概要図である。
【考案を実施するための形態】
【００１０】
以下、本考案を実施の形態と添付図面に基づき更に具体的に説明する。なお、本考案は下記の実施の形態や添付図面により制限されるものではない。
【００１１】
図１は、携帯用音声制御システムの第１実施例のブロック図である。図１を参照すると、携帯用音声制御システム１は、イヤホン装置１０と音声制御装置１２とを備える。携帯用音声制御システム１は、電子装置３から発したオーディオ信号と、外部からのボイス信号とを音声制御装置１２により処理してから、一緒にイヤホン装置１０へ出力するように制御する。
【００１２】
電子装置３は、オーディオ送信ニット３００を備える。電子装置３は例えば音楽プレーヤー（ＭＰ３／ＭＰ４ ｐｌａｙｅｒ）、ミュージックモバイルフォン（Ｍｕｓｉｃ  ｍｏｂｉｌｅ  ｐｈｏｎｅ）、言語トレーニング機能を搭載した電子機器、電子辞書、コンピューターなどのような機器で、音楽や曲、または単語の音声などのオーディオ信号を発することができ、また、オーディオ送信ユニット３００により前記のようなオーディオ信号を伝送することができる。本実施例では、電子装置３はステレオフォニック再生のためのオーディオ信号を生成することができる。
【００１３】
音声制御装置１２は、音声信号出力ユニット１２０と、音声合成モジュール１２２と、オーディオ受信ユニット１２４と、マイクロホン集音ユニット１２６と、マイクロホンアンプ１２８と、を備える。オーディオ受信ユニット１２４は選択的に電子装置３のオーディオ送信ユニット３００とカップリングすることができる。オーディオ受信ユニット１２４は、オーディオ送信ユニット３００と接続することにより、電子装置３からのオーディオ信号、例えば音楽プレーヤーが再生している曲の信号を受信することができる。
【００１４】
図２は、本実施例にかかる音声制御装置１２の回路を示す図である。マイクロホン集音ユニット１２６（図２の５０１）は、音声制御装置１２の外部からのボイス信号、例えばユーザーが発した話し声や歌う声などのようなボイス信号を取り入れ、マイクロホンアンプ１２８（図２の５０３）により前記取り入れたボイス信号を増幅する。
【００１５】
オーディオ信号とボイス信号は、ともに音声合成モジュール１２２（図２の５０５）へ伝送される。音声合成モジュール１２２は、伝送されたオーディオ信号とボイス信号を合成処理する。音声合成モジュール１２２は、オーディオ受信ユニット１２４とマイクロホンアンプ１２８とを電気的に接続し、異なる発生源から同時に受信した複数の音声信号を一つの合成音声信号に変換する。これにより、合成音声信号の中に、電子装置３からのオーディオ信号と、マイクロホン集音ユニット１２６が外部から取り入れたボイス信号とが含まれる。具体的には、合成音声信号には音楽プレーヤーが再生している曲の音、及びユーザーの歌う声を同時に含んでいる。ミックスされた合成音声信号は、音声信号出力ユニット１２０（図２の５０７）によりイヤホン装置１０へ出力される。
【００１６】
イヤホン装置１０は、スピーカモジュール１００と、音声信号入力ユニット１０２とを備え、スピーカモジュール１００と音声信号入力ユニット１０２とは相互に電気的に接続されている。音声信号入力ユニット１０２は、音声制御装置１２の音声信号出力ユニット１２０から出力された合成音声信号を受信してスピーカモジュール１００へ伝送する。スピーカモジュール１００からは、合成音声信号に対応した音声が発生する。スピーカモジュール１００は、ユーザーの両耳にそれぞれイヤホンをつけてステレオフォニックを受信できるように２つのスピーカ（図示せず）を含んでもよい。
【００１７】
また、音声制御装置１２の音声信号出力ユニット１２０とイヤホン装置１０の音声信号入力ユニット１０２とは、選択的にカップリングしてもよい。この場合、この２つのユニットが相互に接続されているときに、音声制御装置１２からイヤホン装置１０に合成音声信号が伝送される。
【００１８】
本実施例にかかる音声合成モジュール１２２は、オーディオ受信ユニット１２４とマイクロホンアンプ１２８の回路とが相互に接続された状態でオペーレーショナル・アンプリファイアー・アイシー（オペアンプＩＣ）に電気的に接続される。これにより、オーディオ信号とボイス信号は、回路の接続によるミックス、及びオペアンプＩＣによる増幅を経て、合成音声信号として生成される。オペアンプＩＣは、合成音声信号の中のオーディオ信号とボイス信号を割合に応じて増幅する。本実施例でのステレオフォニックのオーディオ信号は、左右のチャンネルに割り振られる２つの信号を含む。２つの信号はボイス信号とそれぞれミックスされることで、左右のチャンネルに割り振られる２つの合成音声信号となる。音声合成モジュール１２２は、左右のチャンネルに割り振られた合成音声信号を同時に出力してイヤホン装置１０へ伝送する。これにより、スピーカモジュール１００の２つのスピーカからそれぞれステレオフォニックの合成音声信号が出力される。
【００１９】
図３は、携帯用音声制御システムの第２実施例のブロック図である。第１実施例と異なった所は、携帯用音声制御システム１ａに、第１実施例のマイクロホン集音ユニットの代わりに、ボイス信号を取り入れて音声制御装置１２ａへ伝送するための外付けマイクロホン１４を含むことにある。外付けマイクロホン１４はマイクロホン送信ユニット１４０を含む。音声制御装置１２ａは第１実施例のデバイスに加えて、さらにマイクロホンアンプ１２８と電気的に接続されるマイクロホン受信ユニット１３０を備える。
【００２０】
外付けマイクロホン１４内のマイクロホン送信ユニット１４０はマイクロホン受信ユニット１３０と選択的に接続することができる。マイクロホン送信ユニット１４０とマイクロホン受信ユニット１３０が相互に接続されると、外付けマイクロホン１４は音声制御装置１２ａと接続されたことになる。この場合、外付けマイクロホン１４が取り入れたボイス信号は、マイクロホンアンプ１２８により増幅されて、音声合成モジュール１２２へ伝送され、オーディオ受信ユニット１２４にて受信されたオーディオ信号と合成される。それ以外の構成は第１実施例と同じであるため、説明を省略する。
【００２１】
図４は、携帯用音声制御システムの第３実施例のブロック図である。第３実施例の音声制御装置１２ｂは、さらに、切替器１３２を含む。前記切替器１３２はマイクロホン集音ユニット１２６と外付けマイクロホン１４とマイクロホンアンプ１２８との間に電気的に接続され、内蔵したマイクロホン集音ユニット１２６と外付けマイクロホン１４とを統合し、ユーザーに携帯用音声制御システム１ｂがボイス信号を取り入れる経路を自由に選択させる。切替器１３２は、機械式切替スイッチであってもよい。外付けマイクロホン１４のマイクロホン送信ユニット１４０がマイクロホン受信ユニット１３０と接続されると、外付けマイクロホン１４からのボイス信号が受信されるように、切替器１３２はボイス信号が音声制御装置１２ｂへ伝送されるように経路を切替える。一方、外付けマイクロホン１４が音声制御装置１２ｂに接続されていない場合、切替器１３２はマイクロホン集音ユニット１２６にて集音される外部からのボイス信号が音声制御装置１２ｂへ伝送されるように経路を切替える。それ以外の構成は第１実施例及び第２実施例と同じであるため、説明を省略する。
【００２２】
以上の各実施例で説明したように、オーディオ送信ユニット３００とオーディオ受信ユニット１２４との間を、また音声信号出力ユニット１２０と音声信号入力ユニット１０２との間を、そしてマイクロホン送信ユニット１４０とマイクロホン受信ユニット１３０との間を、相互に選択的に接続することができる。接続手段として、互いに対応する音声信号ポートを介して、有線で構成された電気的な接続手段にしてもよい。例えば、マイクロホン送信ユニット１４０とマイクロホン受信ユニット１３０とは音声信号ポートで接続される。この場合、一方はオーディオジャック（audio jack）で、他方はオーディオプラグ（audio plug）である。オーディオプラグをオーディオジャックに差し込むことで、外付けマイクロホン１４と音声制御装置１２ｂとが電気的に接続される。図５は具体的な例示として示すものである。
【００２３】
図５は本考案にかかる携帯用音声制御システムの第４実施例を示すものである。本実施例の携帯用音声制御システム１ｃは、音楽プレーヤー３０からのオーディオ信号を受信する。携帯用音声制御システム１ｃは、イヤホン装置１０ａと、音声制御装置１２ｃと、外付けマイクロホン１４ａと、を備える。イヤホン装置１０ａは、２つのスピーカ１００ａ、１００ｂを有し、ステレオフォニックの合成音声信号を受信する。イヤホン装置１０ａの音声信号入力ユニット１０２ａと、音声制御装置１２ｃのオーディオ受信ユニット１２４ａと、外付けマイクロホン１４ａのマイクロホン送信ユニット１４０ａとは、すべてオーディオプラグである。これに対して、音声制御装置１２ｃの音声信号出力ユニット１２０ａと、マイクロホン受信ユニット１３０ａと、音楽プレーヤー３０のオーディオ送信ユニット３００ａは全部オーディオジャックで、オーディオプラグと有線で電気的に接続されて信号を伝送する。このような接続手段にすることにより、ユーザーが音楽プレーヤー３０と携帯用音声制御システム１ｃを利用しない場合、オーディオプラグをオーディオジャックから抜出す（unplug）ことで、イヤホン装置１０ａと音声制御装置１２ｃと外付けマイクロホン１４ａとを、音楽プレーヤー３０と別体にすることができ、収納や取替えに便利であるという優れた利点を持つ。
【００２４】
また、本実施例の音声制御装置１２ｃはハウジング１３４と集音孔１３６とを備える。音声信号出力ユニット１２０ａと、マイクロホン受信ユニット１３０ａと、集音孔１３６とはすべてハウジング１３４の表面に設置する。オーディオ受信ユニット１２４ａはオーディオジャックであって、信号接続線１２４０を介して音声制御装置１２ｃのハウジング１３４から延出され、音楽プレーヤー３０のオーディオ送信ユニット３００ａに差し込んで電気的に接続することができる。図４等に示されるマイクロホン集音ユニット１２６とマイクロホンアンプ１２８と音声合成モジュール１２２はハウジング１３４の中に収容される。マイクロホン集音ユニット１２６は集音孔１３６の下方に位置する。外付けマイクロホン１４ａが音声制御装置１２ｃに接続されない場合、マイクロホン集音ユニット１２６はユーザーが外部から発したボイス信号を集音孔１３６により取り入れることができる。
【００２５】
以上、音声信号ポートで有線接続にしたものを説明したが、これに限られない。携帯用音声制御システムは、各装置や素子に接続するための接続手段を一種のみ搭載するとは限られず、メーカーが製造する際に、必要に応じて、異なる接続手段を同時に搭載してもよい。以下、異なる接続手段の実施例を説明する。
【００２６】
図６は携帯用音声制御システムの第５実施例を示す図である。本実施例の携帯用音声制御システム１ｄは、ミュージックケータイ３２と無線通信の方式により接続可能である。イヤホン装置１０ｂは例えばブルートゥースイヤホンなどであり、その音声信号入力ユニット１０２ｂはハンズフリープロファイル（ＨＦＰ）またはヘッドセットプロファイル（ＨＳＰ）に対応できる無線通信ユニットである。ミュージックケータイ３２のオーディオ送信ユニット３００ｂも同じく無線通信ユニットで、ブルートゥースのステレオ接続を可能とするプロファイルであるＡ２ＤＰプロファイルに対応できる。音声制御装置１２ｄの音声信号出力ユニット１２０ｂ及びオーディオ受信ユニット１２４ｂは他の素子と一緒にハウジング１３４ａに配置される。両者も同じくブルートゥース無線通信に対応できる無線通信ユニットで、イヤホン装置１０ｂとミュージックケータイ３２にそれぞれブルートゥース無線通信を行う。現時点では、ブルートゥース設備はすでにマルチペアリング（Multi pairing）という機能をもつようになるので、音声制御装置１２ｄは複数の装置と同時に無線接続することができる。
【００２７】
内蔵されたマイクロホン集音ユニット（図示せず）はハウジング１３４ａに収容され、ハウジング１３４ａの表面に設けられた集音孔１３６を介して外部からのボイス信号を取り入れる。一方、マイクロホン送信ユニット１４０ａとマイクロホン受信ユニット１３０ａとを電気的に接続すると、外付けマイクロホン１４ａによりボイス信号を取り入れることになる。マイクロホン集音ユニットと外付けマイクロホン１４ａとの間の切替は、第３実施例で説明した通りである。
【００２８】
ミュージックケータイ３２と音声制御装置１２ｄがブルートゥース技術を介してマッチングして無線接続されるとともに音声制御装置１２ｄとイヤホン装置１０ｂがマッチングして無線接続されると、音声制御装置１２ｄはミュージックケータイ３２から伝送されたオーディオ信号、及びマイクロホン集音ユニットまたは外付けマイクロホン１４ａが取り入れたボイス信号（例えばユーザーの歌う声）を受信することができ、さらにオーディオ信号とボイス信号の合成を行い、合成音声信号を作成して無線伝送によりイヤホン装置１０ｂへ伝送することによって、ユーザーにバックグラウンドミュージックと自分の歌う声を同時に聞かせることができる。
【００２９】
第５実施例にかかる無線接続方式には、さらに、赤外無線通信やラジオ無線周波数（ＲＦ；ｒａｄｉｏ  ｆｒｅｑｕｅｎｃｙ）などの他の手段を含むことができる。第５実施例にて説明したブルートゥース無線通信は単にその一例を挙げたものにすぎない。なお、当業者は、第４及び第５実施例の説明に基づいて、オーディオ送信ユニット３００とオーディオ受信ユニット１２４との間の接続方式、音声信号出力ユニット１２０と音声信号入力ユニット１０２との間の接続方式、及びマイクロホン送信ユニット１４０とマイクロホン受信ユニット１３０との間の接続方式を変更することができる。例えば、電子装置と音声制御装置とが無線伝送し、イヤホン装置と音声制御装置とが有線接続するようにしてもよい。
【００３０】
前記各実施例の説明からも明らかなように、音声制御装置１２は音声合成モジュール１２２を有することで、異なる発生源からの複数の音声を合成するとともに、合成音声をイヤホン装置１０のスピーカモジュール１００から出力することができる。よって、ユーザーはイヤホン装置１０から、電子装置３が発した音声と、マイクロホン集音ユニット１２６が収集した音声とを同時に聴くことができる。具体的な例として、ユーザーは、イヤホン装置１０から音楽プレーヤー３０またはミュージックケータイ３２が再生している音楽を聴いていると同時に、自分がマイクロホン集音ユニット１２６または外付けマイクロホン１４に対して発した歌声を聴くことができる。このような技術手段による機能によって、ユーザーは音楽を聴きながら曲に合わせて歌の練習をすることができる。
【００３１】
歌の練習をすることだけでなく、携帯用音声制御システムにより外国語などの言語トレーニングをすることもできる。例えば、電子装置が再生していた言語トレーニングの教材に従って口語の練習をしながら、イヤホン装置から自分の発声などをチェックすることができる。
【００３２】
また、音声制御装置１２を用いると、音声を合成する機能が達成できるので、任意のイヤホン装置１０、オーディオ信号を再生するための電子装置３、または外付けマイクロホン１４を、音声信号ポートが同じ規格の音声制御装置１２に、または同じ無線通信規格に対応できる音声制御装置１２に接続すれば、特に設定や調整を要することなく、常に身につけて音楽を聴くことや歌の練習をすることができる。また、簡単にイヤホン装置１０や外付けマイクロホン１４を変更・交換することもできる。なお、ユーザーは、オーディオ信号を提供する電子装置３をいつでも変更・交換することができる。例えば、音楽プレーヤー３０とミュージックケータイ３２にそれぞれ異なる音楽のファイルを保存した場合、音声制御装置１２と音楽プレーヤー３０との間のオーディオプラグとオーディオジャックの接続を切り離し、若しくは無線接続を停止して、音声制御装置１２を改めてミュージックケータイ３２に接続すればよい。
【００３３】
携帯用音声制御システムにおける各装置は、その相互間の接続において接続や切り離しを選択することができるので、携帯用音声制御システムを収納しようとする時、各装置の間の接続を切り離し、イヤホン装置１０、音声制御装置１２及び外付けマイクロホン１４をそれぞれ別体にすればよく、収納するのに便利である。
【００３４】
以上、本考案の実施の形態について説明したが、本考案の技術範囲は上記実施の形態に限定されるものではなく、本考案の趣旨を逸脱しない範囲において様々の変更を加えることが可能である。
【符号の説明】
【００３５】
１,１ａ-ｄ  携帯用音声制御システム
１０,１０ａ-ｂ  イヤホン装置
１００  スピーカモジュール
１００ａ-ｂ  スピーカ
１０２,１０２ａ-ｂ  音声信号入力ユニット
１２,１２ａ-ｄ  音声制御装置
１２０,１２０ａ-ｂ  音声信号出力ユニット
１２２  音声合成モジュール
１２４,１２４ａ-ｂ  オーディオ受信ユニット
１２４０  信号接続線
１２６  マイクロホン集音ユニット
１２８  マイクロホンアンプ
１３０,１３０ａ  マイクロホン受信ユニット
１３２  切替器
１３４,１３４ａ  ハウジング
１３６  集音孔
１４,１４ａ  外付けマイクロホン
１４０,１４０ａ  マイクロホン送信ユニット
３  電子装置
３０  音楽プレーヤー
３２  ミュージックケータイ
３００,３００ａ-ｂ  オーディオ送信ユニット
５０１  マイクロホン集音ユニット回路図
５０３  マイクロホンアンプ回路図
５０５  音声合成モジュール回路図
５０７  音声信号出力ユニット回路図
【図１】
0003155879.tif 000003
【図２】
0003155879.tif 000004
【図３】
0003155879.tif 000005
【図４】
0003155879.tif 000006
【図５】
0003155879.tif 000007
【図６】
0003155879.tif 000008